(57)【要約】【課題】コストを抑制した状態で、デザイン上の問題となりにくい住宅用のセードを有する照明器具を清掃する照明器具拭き取り装置を提供する。【解決手段】照明器具拭き取り装置１は、光源を収容する器具本体の開口面に設けられるセード３を清掃するメンテナンス部４を有する。メンテナンス部４はセード３を拭く拭き取り部材５を繰り出す繰出し部材６と前記拭き取り部材５を巻き取る巻取り部材６とメンテナンス部４を案内するレール１１とを備え、前記繰出し部材６と前記巻取り部材７の間に設けられたガード８で前記拭き取り部材５を案内しながらセード３に接触させつつ移動させて塵埃や汚れを拭き取る。【選択図】図１
2007215568.tif 000002
【特許請求の範囲】
【請求項１】
光源を収容する器具本体の開口面に設けられるセードを清掃するメンテナンス部を有する照明器具拭き取り装置であって、前記メンテナンス部はセードを拭く拭き取り部材と、該拭き取り部材を繰り出す繰出し部材と前記拭き取り部材を巻き取る巻取り部材とを備え、前記繰出し部材と前記巻取り部材の間で前記拭き取り部材をセードに接触させて移動させることを特徴とする照明器具拭き取り装置。
【請求項２】
前記メンテナンス部の移動方向と拭き取り部材の移動方向は交差する方向としたことを特徴とする請求項１に記載の照明器具拭き取り装置。
【請求項３】
前記メンテナンス部に前記拭き取り部材に張力を付加するガイドを設けたことを特徴とする請求項１又は２に記載の照明器具拭き取り装置。
【請求項４】
前記メンテナンス部の交換時期を照明器具の光源の交換時期と同じとしたことを特徴とする請求項１ないし３のいずれかに記載の照明器具拭き取り装置。
【発明の詳細な説明】
【技術分野】
【０００１】
本発明は照明器具拭き取り装置に関し、詳細には、照明器具の天井面から突出したセードのメンテナンスを行うことができる照明器具拭き取り装置に関するものである。
【背景技術】
【０００２】
天井に配置された逆富士形又はトラフ形等の直付け形照明器具の清掃装置として、照明器具の下方に悪影響を及ぼすことを制御しつつ清掃する、例えば、特許文献１のような装置が提案されている。
【０００３】
特許文献１の照明器具用清掃装置は、反射板又はランプの一部を遊嵌する容器状の本体部と、反射板又はランプの一部に接する回転自在のブラシ状清掃体と、清掃体を回転させる回転装置と、本体部に接続されたハンドルとを具備している。そして、照明器具の反射板又はランプに付着している塵埃や汚れは、回転する清掃体のブラシ毛により取り去られる。除去された塵埃は清掃体に付着して保持されるか、本体部内に収容されて本体部外への飛散が防止される。
【０００４】
また、トンネル内の照明器具清掃装置として、照明器具に沿って架設されたレールと、レール上を自動走行する台車と、台車に設けられた照明器具を検出するセンサと、所定距離にある対象物を自動清掃する清掃部と、センサ部が照明器具を検出したときに清掃部に照明器具の清掃を指示する制御手段とを具備したものが知られている（例えば、特許文献２）。
【０００５】
この特許文献２の照明器具用清掃装置は、トンネル内の照明器具に沿って設置されたレールを自動走行する台車に設けられたセンサ部が照明器具を検出すると、これを自動清掃することを特徴とするもので、照明器具の自動清掃を実現するものである。
【特許文献１】特開２００３−２４５６１３号公報
【特許文献２】実公平７−３２６３９号公報
【発明の開示】
【発明が解決しようとする課題】
【０００６】
しかしながら、特許文献１に係る照明器具用清掃装置では、モータ等の重い回転装置を上方に支えなければならず、重労働であり、処理できる数が少なくなり、生産性が悪い。また、清掃体を高速で回転させないと清掃の効率が悪いことになるので、どうしても回転数を高くして使用することになり、そのため、本体部での塵埃の収容が悪くなり、周囲に飛散することとなる。
【０００７】
特許文献２の照明器具用清掃装置では、レールと台車が必要であり、住宅用照明器具にこれを適用しようとすると、設置にあたりコストが高くなるという問題がある。また、住宅用照明器具はインテリアを兼用する場合が多く、デザイン面でよくないという問題がある。
【０００８】
本願発明は、上記課題に鑑みてなされたものであり、その目的は、コストを抑制した状態で、デザイン上の問題となりにくい住宅用のセードを有する照明器具を清掃する照明器具拭き取り装置を提供することである。
【課題を解決するための手段】
【０００９】
請求項１に記載された発明に係る照明器具拭き取り装置は、上記課題を解決するために、光源を収容する器具本体の開口面に設けられるセードを清掃するメンテナンス部を有する照明器具拭き取り装置であって、前記メンテナンス部はセードを拭く拭き取り部材と、該拭き取り部材を繰り出す繰出し部材と前記拭き取り部材を巻き取る巻取り部材とを備え、前記繰出し部材と前記巻取り部材の間で前記拭き取り部材をセードに接触させて移動させることを特徴とする。
【００１０】
請求項２に記載された発明に係る照明器具拭き取り装置は、請求項１に記載の照明器具拭き取り装置において、前記メンテナンス部の移動方向と拭き取り部材の移動方向は交差する方向としたことを特徴とする。
【００１１】
請求項３に記載された発明に係る照明器具拭き取り装置は、請求項１又は２に記載の照明器具拭き取り装置において、前記メンテナンス部に前記拭き取り部材に張力を付加するガイドを設けたことを特徴とする。
【００１２】
請求項４に記載された発明に係る照明器具拭き取り装置は、請求項１ないし３に記載の照明器具拭き取り装置において、前記メンテナンス部の交換時期を照明器具の光源の交換時期と同じとしたことを特徴とする。
【発明の効果】
【００１３】
請求項１に記載された発明に係る照明器具拭き取り装置によれば、簡単な構造でふくらんだ曲面を有する外形のセードを清掃することができ、コストを抑制しながら住宅用の照明器具を自動清掃することができる。
【００１４】
請求項２に記載された発明に係る照明器具拭き取り装置によれば、請求項１の発明の効果に加え、さらに清掃の効果を向上でき、部品点数を減らすことができ、さらにコストの低減を図ることができる。
【００１５】
請求項３に記載された発明に係る照明器具拭き取り装置によれば、請求項１の発明の効果に加え、繰り出し部材と巻取り部材の操作だけでは十分でない張力の付加をガイドで行えるようにすることにより、さらに良好な清掃を行うことができる。
【００１６】
請求項４に記載された発明に係る照明器具拭き取り装置によれば、請求項１の発明の効果に加え、照明器具拭き取り装置の交換時期を光源の交換時期に合わせることにより、いずれの部材の交換時期も忘れることが無くなり、常に良好な清掃を行うことができる。
【発明を実施するための最良の形態】
【００１７】
次に、本発明の最良の形態を図面に基づいて詳細に説明する。図１は本発明に係る照明器具拭き取り装置の第１の実施形態の概略構成を示す分解斜視図、図２はその側面図、図３はその作動時の状態を説明するための一部破断した正面図である。
【００１８】
本実施形態に係る照明器具拭き取り装置１は、天井に設けられた照明器具の下面を覆うための天井面Ｃから突出して設けられるセード３を清掃するメンテナンス部４を有している。また、メンテナンス部４はセード３を拭き取る拭き取り部材５を繰り出す繰出し部材６と拭き取り部材５を巻き取る巻取り部材７を備えると共に、拭き取り部材５の張力を維持するガイド８を備えている。メンテナンス部４はカバー９が取り付けられるようにされており、カバー９に収容されている。
【００１９】
照明器具拭き取り装置１は、図示しないモータにより駆動されるローラ１０を有し、セード３の近傍に設けられたレール１１にローラ１０が嵌合されて吊り下げられ、レール１１に沿って図１の左右に往復動するようにされている。
【００２０】
拭き取り部材５はセード３より幅広のシート状の織布、不織布等が用いられ、一端側は繰出し部材６に巻き付けられている。そして、拭き取り部材５の他端側は巻取り部材７に巻き付けられて、セード３に接触して塵埃、汚れを拭き取ったら、順次巻取り部材７に巻き取られる。この巻き取り操作は、連続で行ってもよいし、間欠的に行ってもよい。また、繰出し部材６は駆動しないものであってもよい。
【００２１】
繰出し部材６、巻取り部材７は拭き取り部材５がセード３面をある程度の圧力でもって接触するように、拭き取り部材５に張力を付与できるように構成されている。または、繰出し部材６と巻取り部材７による拭き取り部材５の張力制御に加えて又はそれのみで張力制御する手段の１つとして、ガイド８が設けられている。
【００２２】
ガイド８は、セード３に対向する面がセード３の最大外形とほぼ同寸法の相似形に凹んだ凹部８aを有し、メンテナンス部４が往復動するとき、セード３の最大突出部をそのふくらみに沿って通過できるようにされている。また、拭き取り部材５が中心側に寄るのを防ぐために、その幅方向に張力を付加する張力付与部材８ｂを備え、この張力付与部材８ｂにより拭き取り部材５に張力を付与するようにしてもよい。
【００２３】
本実施形態の照明器具拭き取り装置１にあっては、メンテナンス部４、特に拭き取り部材５の交換時期を照明器具の光源の交換時期と同じとしている。なお、この交換時期の通知は、照明器具の交換時期の通知と兼ねてもよいし、光源の交換時期通知にメンテナンス部４の交換時期を付加するものでも、独立して交換時期通知機能を光源の交換時期通知機能と同様に設けてもよい。
【００２４】
上記のように構成された照明器具拭き取り装置１は、所定の時間、例えば１ヶ月が経過するごとに自動的に、又は人が作業を開始するようスイッチをオンする。照明器具拭き取り装置１のメンテナンス部４はローラ１０が駆動して、図２の左側から右方向へ移動する。このとき、繰出し部材６と巻取り部材７も作動して拭き取り部材５のセード３への接触部を移動させる。メンテナンス部４の移動につれてセード３の最大突出部に至り、さらに反対側の折返し点に達する。そして、メンテナンス部４は折返し、レール１１に沿って右方向に移動して出発位置に戻って止まり、次の作業まで待機する。
【００２５】
以上説明したように、本実施形態の照明器具拭き取り装置１によれば、簡単な構造で曲面を有する外形のセード３を少ない労力で清掃することができ、コストを抑制しながら住宅用の照明器具を自動清掃することができる。
【００２６】
なお、本願発明の照明器具拭き取り装置及びその拭き取り作業は、上記例に限られないことは勿論である。例えば、拭き取り部材５の移動を間欠的にしてもよいし、１回の拭き取りを往復動でなく右又は左方向への片道動にしてもよい。また、照明器具拭き取り装置１を、図４に示すように構成してもよい。
【００２７】
図４は、本発明に係る照明器具拭き取り装置の第２の実施形態の概略構成を示す分解斜視図である。本実施形態の照明器具拭き取り装置１は、上記の実施形態とは拭き取り部材の移動方向がメンテナンス部４ａの移動方向と直交するように構成されている点で相違するが、上記実施形態と同様な作用をなすものについては同一符号を付して詳細な説明を省略する。
【００２８】
本実施形態に係る照明器具拭き取り装置１は、天井に設けられた照明器具２の下面を覆うための天井面から突出して設けられるセード３を清掃するメンテナンス部４ａを有している。また、メンテナンス部４ａはセード３を拭き取る拭き取り部材５ａを繰り出す繰出し部材６ａと拭き取り部材５ａを巻き取る巻取り部材７ａを備えると共に、拭き取り部材５ａをセード３のふくらみに沿わせるガイド１８を備えている。
【００２９】
照明器具拭き取り装置１は、駆動可能なローラ１０を有し、セード３の近傍に設けられたレール１１にローラ１０が嵌合されて吊り下げられ、レール１１に沿って図４の左右に往復動するようにされている。
【００３０】
本実施形態の照明器具拭き取り装置１の拭き取り部材５ａは、セード３の幅より狭い、細いテープ状部材が用いられる。そして、その移動方向がメンテナンス部４aの移動方向と直交するように、繰出し部材６ａと巻取り部材７ａはガイド１８の長手方向の両端部にそれぞれ設けられると共に、ガイド１８は１対のレール１１に架設されるように延びて配置されて構成されている。
【００３１】
また、ガイド１８は、セード３に対向する面がセード３の最大外形とほぼ同寸法の相似形に凹んだ凹部１８aを有し、メンテナンス部４aが往復動するとき、セード３の最大突出部をそのふくらみに沿って通過できるようにされている。このように照明器具拭き取り装置１を構成すると、拭き取り部材５aの張力の制御が幅広のものに比べて容易であり、効率的な拭き取りができる。
【図面の簡単な説明】
【００３２】
【図１】本発明に係る照明器具拭き取り装置の第１の実施形態の概略構成を示す分解斜視図である。
【図２】その側面図である。
【図３】そ作動時の状態を説明するための一部破断した正面図である。
【図４】本発明に係る照明器具拭き取り装置の第２の実施形態の概略構成を示す分解斜視図である。
【符号の説明】
【００３３】
１  照明器具拭き取り装置
３  セード
４  メンテナンス部
５  拭き取り部材
６  繰出し部材
７  巻取り部材
８  ガイド
１０  ローラ
１１  レール
【図１】
2007215568.tif 000003
【図２】
2007215568.tif 000004
【図３】
2007215568.tif 000005
【図４】
2007215568.tif 000006